(57)【要約】      （修正有）【課題】ホスト装置の電源供給能力に起因する動作の不具合を改善した光ディスク装置、および光ディスク装置の動作モード設定方法を提供する。【解決手段】ＯＤＤをＰＣに接続し起動した後に、ＯＤＤは消費電流の大きい動作を所定時間だけ実行し、その間にパワーオンリセットがかかるか否かを判定する。パワーオンリセットがかからない場合には、ＯＤＤを最高仕様で動作できるようにし、パワーオンリセットがかかった場合には、仕様を抑えて消費電流の小さい動作を行うようにする。【選択図】図２
2012128894.tif 000002
【特許請求の範囲】
【請求項１】
ホスト装置から供給された電源を用いて光ディスクから情報データを再生する光ディスク装置であって、
前記光ディスクを回転させるスピンドルモータと、
前記光ディスクにレーザ光を照射する対物レンズと、該対物レンズの前記光ディスクに対する半径方向位置を微調するトラッキングアクチュエータと、前記対物レンズの前記光ディスクに対する垂直方向位置を微調するフォーカスアクチュエータと、前記レーザ光の前記光ディスクからの反射光を検出して前記光ディスクに書込まれた情報データを読取り電気信号に変換して出力する光検出器を有する光ピックアップと、
前記光ピックアップを前記光ディスクに対して半径方向に移動して相対的な位置を定めるスレッドモータと、
前記対物レンズの前記光ディスクに対する位置を微調するための駆動信号を生成して前記トラッキングアクチュエータとフォーカスアクチュエータに供給するサーボ部と、
前記光ピックアップから出力された電気信号を処理して前記ホスト装置に供給し、また前記サーボ部に前記駆動信号を生成させるために供給する信号処理部と、
前記光ディスク装置の動作を制御する制御部を有し、
該制御部は、前記光ディスク装置が前記ホスト装置に接続され起動された後に前記光ディスク装置を再起動させるためのパワーオンリセットが発生したと判定した場合には、消費電流を低減した動作を行うよう制御することを特徴とする光ディスク装置。
【請求項２】
請求項１に記載の光ディスク装置において、前記制御部は、前記いずれか一つまたは複数の構成要素に指示して所定の消費電流を消費させ、前記パワーオンリセットが発生するか否かを判定することを特徴とする光ディスク装置。
【請求項３】
請求項２に記載の光ディスク装置において、所定の消費電流を消費させる構成要素は、前記スピンドルモータであることを特徴とする光ディスク装置。
【請求項４】
請求項２に記載の光ディスク装置において、所定の消費電流を消費させる構成要素は、前記スレッドモータであることを特徴とする光ディスク装置。
【請求項５】
請求項１に記載の光ディスク装置において、前記制御部は、前記光ディスク装置が前記ホスト装置に接続され起動された後、前記情報データを再生する以前において前記パワーオンリセットが発生したか否かを判定することを特徴とする光ディスク装置。
【請求項６】
請求項１に記載の光ディスク装置において、前記制御部は、前記光ディスク装置が前記ホスト装置に接続され起動された後、前記情報データを再生しないスタンバイ期間において前記パワーオンリセットが発生したか否かを判定することを特徴とする光ディスク装置。
【請求項７】
ホスト装置から供給された電源を用いて光ディスクから情報データを再生する光ディスク装置の動作モード設定方法であって、
前記動作モード設定が行われる前の電源供給状態であるか否かを判定する電源供給状態判定ステップと、
該電源供給状態判定ステップでの判定の結果、前記動作モード設定が行われる前の電源供給状態であると判定された場合には、該電源供給状態であることを記憶して所定の時間消費電流を増大させる消費電流増大ステップと、
該消費電流増大ステップにおいてパワーオンリセットが発生されたか否かを判定するパワーオンリセット判定ステップを有し、
該パワーオンリセット判定ステップでの判定の結果、パワーオンリセットは発生しなかったと判定された場合には、前記電源供給状態であることの記憶をクリアして前記光ディスク装置を所定の動作モードに設定し、
前記パワーオンリセット判定ステップでの判定の結果、パワーオンリセットが発生したと判定された場合には、前記光ディスク装置を前記所定の動作よりも消費電流の小さい動作モードに設定することを特徴とする光ディスク装置の動作モード設定方法。
【発明の詳細な説明】
【技術分野】
【０００１】
本発明は光ディスク装置、および光ディスク装置の動作モード設定方法に係り、特にホスト装置の電源供給能力に起因する動作の不具合を改善した光ディスク装置、および光ディスク装置の動作モード設定方法に関するものである。
【背景技術】
【０００２】
ＰＣ（Personal Computer）をはじめとする情報処理装置では、情報を蓄積する装置の一つとして光ディスク装置（以下、ＯＤＤ；Optical Disc Drive と略記することがある）を使用することが多い。最近はＰＣに対して外付けして使用するＯＤＤが増えている。
ＰＣにＯＤＤを外付けする場合、双方のインタフェースはＵＳＢ（Universal Serial Bus）を使用することが多い。ＯＤＤが使用する電源は、ＯＤＤ用に作られた電源アダプタから供給されるか、前記ＵＳＢを介してＰＣから供給される。
【０００３】
ＯＤＤに供給される電源が、前記ＵＳＢを介してＰＣから供給される場合は、ＰＣの電源供給能力に注意する必要がある。一つのＯＤＤが、あるメーカのＰＣと接続された際に問題なく動作したとしても、他のメーカのＰＣと接続された際にはＰＣ側の電源供給能力が不足することにより、動作の不具合を起こすことがある。
【０００４】
特許文献１においては、ＰＣが備える制御プログラムにより接続機器をテスト動作させ、ＰＣから電源を供給可能であるかを評価する電力診断方法が開示されている。
特許文献２においては、ＰＣがＵＳＢを介してＯＤＤの電源を供給する場合に、信号を送信か受信することで電源供給能力が充分であるかを判断し、充分な場合に電源を供給する装置が開示されている。
【０００５】
特許文献３においては、複数の電源からＯＤＤに給電可能な電源を選別し、選別した電源の供給能力に応じてデータ転送に関わる条件を切替える装置が開示されている。
特許文献４においては、ＵＳＢポートを二個使用して必要な電源電力を確保する装置が開示されている。
【先行技術文献】
【特許文献】
【０００６】
【特許文献１】特開２００５−１３５３７６号公報
【特許文献２】特開２００５−５０１９４号公報
【特許文献３】特開２００５−３０１３９０号公報
【特許文献４】特開２００８−２７１１４号公報
【発明の概要】
【発明が解決しようとする課題】
【０００７】
一つのＵＳＢポートが供給する電源電流は、規格により５００ｍＡと定められている。一方、ＯＤＤはＰＣに外付けする装置としては消費電流が多いため、特許文献４にあるように二つのＵＳＢポートを用いて最大１Ａで電源の供給を受けるか、または別の電源アダプタから電源の供給を受けるようにしている。当然ながら、ユーザにとってはＵＳＢポートから電源の供給を受け、別の電源アダプタは不要とする方法が便利である。
【０００８】
ＯＤＤの電源がＵＳＢポートから供給される場合、二つのポートを使用したとしても、ＯＤＤが１Ａ以内で動作できることが望まれる。しかし、実際にはＯＤＤが消費する電流値はこの値の近傍にあり、ＯＤＤが内蔵する構成要素のバラツキや周辺温度の変化を考慮するとマージンは少ないのが実情である。ＰＣの電源回路の電流供給能力は、前記ＵＳＢポートの規格以上であることは当然であるが、実際に供給できる電流はメーカや機種により様々である。
【０００９】
あるメーカのＰＣと接続して正常に動作したＯＤＤであっても、他のメーカのＰＣと接続した際には電源電圧が低下し、ＯＤＤが自身を再起動するパワーオンリセット（Power -on- reset）を発生することがある。パワーオンリセットは、一時的に消費電流が増加する場合、例えば高速でデータを書込み、読取る際に発生し易いが、この際にデータの書込みエラー、または読取りエラーを発生するという不具合がある。
【００１０】
ユーザにとって問題であるのは購入したＯＤＤが、使用するＰＣから供給される電源で前記したエラーを発生することなく動作するか否かに関しては、実際に接続して使用するまでは分からないことにある。エラーが多発して使用できない場合には、ユーザが電源アダプタを別に購入することも考えられるが、使い勝手が悪くなり、また購入するための費用が問題である。
【００１１】
前記した特許文献は前記した問題に係る文献であるが、特許文献１においては、ＰＣ側に制御プログラムが必要であり、通常の使用状態とは異なるテストモードを設ける必要がある。特許文献２においては、ＰＣの電源供給能力が不充分な場合にはＵＳＢポートからの供給された電源では動作しない。特許文献３においては、ＵＳＢポートから電源が供給される場合にはデータを書込み、読取る速度が制限され、電源供給能力が充分であっても最高速度での動作はしないので、電源供給能力の範囲で最大の動作性能を有するような配慮が望まれる。
本発明の目的は前記した問題に鑑み、ホスト装置の電源供給能力に起因する動作の不具合を改善した光ディスク装置、および光ディスク装置の動作モード設定方法を提供することにある。
【課題を解決するための手段】
【００１２】
前記課題を解決するため本発明は、ホスト装置から供給された電源を用いて光ディスクから情報データを再生する光ディスク装置であって、
前記光ディスクを回転させるスピンドルモータと、
前記光ディスクにレーザ光を照射する対物レンズと、該対物レンズの前記光ディスクに対する半径方向位置を微調するトラッキングアクチュエータと、前記対物レンズの前記光ディスクに対する垂直方向位置を微調するフォーカスアクチュエータと、前記レーザ光の前記光ディスクからの反射光を検出して前記光ディスクに書込まれた情報データを読取り電気信号に変換して出力する光検出器を有する光ピックアップと、
前記光ピックアップを前記光ディスクに対して半径方向に移動して相対的な位置を定めるスレッドモータと、
前記対物レンズの前記光ディスクに対する位置を微調するための駆動信号を生成して前記トラッキングアクチュエータとフォーカスアクチュエータに供給するサーボ部と、
前記光ピックアップから出力された電気信号を処理して前記ホスト装置に供給し、また前記サーボ部に前記駆動信号を生成させるために供給する信号処理部と、
前記光ディスク装置の動作を制御する制御部を有し、
該制御部は、前記光ディスク装置が前記ホスト装置に接続され起動された後に前記光ディスク装置を再起動させるためのパワーオンリセットが発生したと判定した場合には、消費電流を低減した動作を行うよう制御することを特徴としている。
【００１３】
また本発明は、ホスト装置から供給された電源を用いて光ディスクから情報データを再生する光ディスク装置の動作モード設定方法であって、
前記動作モード設定が行われる前の電源供給状態であるか否かを判定する電源供給状態判定ステップと、
該電源供給状態判定ステップでの判定の結果、前記動作モード設定が行われる前の電源供給状態であると判定された場合には、該電源供給状態であることを記憶して所定の時間消費電流を増大させる消費電流増大ステップと、
該消費電流増大ステップにおいてパワーオンリセットが発生されたか否かを判定するパワーオンリセット判定ステップを有し、
該パワーオンリセット判定ステップでの判定の結果、パワーオンリセットは発生しなかったと判定された場合には、前記電源供給状態であることの記憶をクリアして前記光ディスク装置を所定の動作モードに設定し、前記パワーオンリセット判定ステップでの判定の結果、パワーオンリセットが発生したと判定された場合には、前記光ディスク装置を前記所定の動作よりも消費電流の小さい動作モードに設定することを特徴としている。
【発明の効果】
【００１４】
本発明によれば、ホスト装置の電源供給能力に起因する動作の不具合を改善した光ディスク装置、および光ディスク装置の動作モード設定方法を提供でき、ユーザに対する使い勝手の向上に寄与できるという効果がある。
【図面の簡単な説明】
【００１５】
【図１】一実施例における光ディスク装置のブロック図である。
【図２】一実施例における光ディスク装置の動作モード設定方法のフロー図である。
【発明を実施するための形態】
【００１６】
以下、本発明の実施例につき図面を用いて説明する。まず光ディスク装置（ＯＤＤ）に関して、装置全体の動作を説明する。
図１は、本発明の一実施例における光ディスク装置１のブロック図である。記録媒体である光ディスク１０１は、例えばＤＶＤ（Digital Versatile Disc）やＢＤ（Blu-ray Disc）である。もちろん、ＤＶＤ−ＲやＢＤ−Ｒのように一回のみ記録が可能な追記型、ＤＶＤ−ＲＡＭやＢＤ−ＲＥのような書換え型、ＤＶＤ−ＲＯＭのような読取り専用型のいずれであっても良い。 装着された光ディスク１０１は、スピンドルモータ１０５により所定の回転速度（例えば、データを記録再生する位置において所定の線速度となる回転速度）で回転駆動される。そのためのスピンドルモータ制御信号１１５は、ＤＳＰ（Digital Signal Processor）１０９が含むサーボ部１１３で生成され、増幅器１０８で電力増幅されたうえでスピンドルモータ１０５に供給される。なお、サーボ部１１３が前記スピンドルモータ制御信号１１５を生成するために、回転数検出回路１０６が設けられており、回転数検出回路１０６が発生するスピンドルモータ１０５の回転数を示す信号がＤＳＰ１０９に供給されている。
【００１７】
光ピックアップ１０２は対物レンズ１０４を介して、レーザ光束を光ディスク１０１の記録面に照射し、データを記録または再生する。
光ピックアップ１０２は、スレッド機構に搭載されており、スレッドモータ１０３の回転に伴い、光ディスク１０１上の半径方向に移動して所定のトラック位置においてデータの記録再生を行う。このためのスレッドモータ制御信号１１８はサーボ部１１３で生成され、増幅器１０８で電力増幅されてスレッドモータ１０３に供給される。
また、対物レンズ１０４は電磁力を用いたトラッキングアクチュエータ１１９とフォーカスアクチュエータ１２０（図１では煩雑化を避けるため、１１９と１２０は対物レンズ１０４を駆動する方向のみ示す）に搭載されている。
【００１８】
トラッキングアクチュエータ１１９には、サーボ部１１３で生成され増幅器１０８で電力増幅されたトラッキングアクチュエータ制御信号１１６が供給され、これに基づき対物レンズ１０４は、レーザ光束が光ディスク１０１の所定の記録トラック上を正しくトレースするよう、光ディスク１０１に対する半径方向（トラッキング方向）の位置を微調整される。また、フォーカスアクチュエータ１２０には、サーボ部１１３で生成され増幅器１０８で電力増幅されたフォーカスアクチュエータ制御信号１１７が供給され、これに基づき対物レンズ１０４は、レーザ光束が光ディスク１０１の所定の記録トラック上に正しくフォーカスするよう、光ディスク１０１に対する垂直方向（フォーカス方向）の位置を微調整される。
【００１９】
光ピックアップ１０２が含む光検出器１２１は、前記レーザ光束の光ディスク１０１からの反射光を検出し、光ディスク１０１に記録されていた情報信号を検出して電気信号に変換する。検出された情報信号は信号処理部１０７に供給される。信号処理部１０７は、ＡＦＥ（Analog Front End）回路とも呼ばれる回路ブロックを有し、ＡＦＥ回路は、ディジタル記録であっても本質的にはアナログ信号として扱うべき段階における前記情報信号の処理を行う。即ち信号処理部１０７は、前記情報信号を演算処理して、例えばトラッキング制御信号とフォーカス制御信号を生成し、ＤＳＰ１０９が含むサーボ部１１３に供給する。サーボ部１１３は、供給されたトラッキング制御信号とフォーカス制御信号に基づきトラッキング用とフォーカス用のサーボ信号、即ち先のトラッキングアクチュエータ制御信号１１６とフォーカスアクチュエータ制御信号１１７を生成し、増幅器１０８を介して光ピックアップ１０２に供給し、前記したトラッキング動作とフォーカス動作を制御する。
【００２０】
また信号処理部１０７は、光ディスク１０１に対してデータを記録再生した際の振幅や位相の周波数特性を等化したうえで、等化されたデータをＤＳＰ１０９が含むデコーダ部１１２に供給する。デコーダ部１１２は、光ディスク１０１に記録されていた情報信号の再生処理を行う。例えば、光ディスク１０１に記録する以前に情報信号に施されたデータ圧縮処理とは逆の伸張処理を行い、元の情報信号をデコードする。なお、先の信号処理部１０７は、ＤＳＰ１０９と同じ半導体チップ上に集積されることがある。
【００２１】
以上述べた光ディスク装置１の動作は、マイコン（マイクロコンピュータ）１１１が生成する制御信号に基づいて行われる。なお、マイコン１１１もＤＳＰ１０９と同じ半導体チップ上に集積されることがある。以下では、マイコン１１１を制御部１１１と記述することがある。
【００２２】
また、例えばユーザからの動作指令などは、光ディスク装置１の上位装置であるホストコンピュータ２で生成される。ホストコンピュータ２で生成された指令信号は、ＤＳＰ１０９が含むＩ／Ｆ（インタフェース）部１１０が上位装置と光ディスク装置１の間の通信を仲介することで伝達される。ここでホストコンピュータ２は前記したＰＣが相当し、Ｉ／Ｆ部１１０は前記したＵＳＢポートが相当する。即ち、光ディスク装置１はＩ／Ｆ部１１０を介してホストコンピュータ２から動作電源の供給を受けることができる。
【００２３】
前記デコーダ部１１２でデコードされた情報信号は、Ｉ／Ｆ部１１０を介してホストコンピュータ２に供給される。また、逆にホストコンピュータ２からＩ／Ｆ部１１０を介して供給された情報信号は、信号処理部１０７が有する記録信号処理回路で所定の変調動作と記録符号化が施された後、光ピックアップ１０２が発生するレーザ光束を介して光ディスク１の記録トラックに記録される。
【００２４】
光ディスク１において、その消費電流を決める大きな要因として次の要因がある。まず、高速で（４倍速、８倍速など）データを記録再生するためにスピンドルモータ制御信号１１５がスピンドルモータ１０５を高速回転させる際に、消費電流が増大する。また、スピンドルモータ１０５の回転起動時と速度変更時にも消費電流が増大する。また、光ピックアップ１０２の位置を変更するために、スレッドモータ制御信号１１８がスレッドモータ１０３を駆動する際に消費電流が増大することがある。さらに、トラッキングアクチュエータ制御信号１１６がトラッキングアクチュエータ１１９を、フォーカスアクチュエータ制御信号１１７がフォーカスアクチュエータ１２０を駆動する際に、瞬間的に消費電流が増大することがある。また、光ディスク１０１が光ディスク装置１に装着される際、図示しないローディング機構が機能するために、消費電流が増大することがある。
【００２５】
例えば前記したような要因で消費電流が増大した時に、ＵＳＢポートからの電源供給能力が不足して電源電圧が低下すると、制御部１１１は電圧低下を検知して、動作不良を避けるために光ディスク装置１の動作をリセットして再起動させる。このリセット動作は最初に電源が供給された時に、ファームウェアを含めて光ディスク装置１を起動する際にも行われる。双方を併せてパワーオンリセットと呼ぶ。
【００２６】
ホストコンピュータ２（ＰＣ）から光ディスク装置１（ＯＤＤ）への電源供給能力が不充分である場合には、例えば光ディスク装置１に電源を供給して起動した後、光ディスク１０１を装着するために前記ローディング機構が機能し、またスピンドルモータ１０５が起動し、またスレッドモータ１０３が起動し、さらにトラッキングアクチュエータ１１９やフォーカスアクチュエータ１２０が起動するなどの動作が行われるたびに、パワーオンリセットがかかり、情報データの書込みや読取りの動作が円滑に行われない問題が起こる。さらに、光ピックアップ１０２が情報データの書込みや読取りを行う際にパワーオンリセットがかかると、書込みエラーや読取りエラーが発生して、期待した記録再生動作が行われない問題がある。なお、倍速書込みや読取りが行われる際には、書込みや読取りの速度が速いほどスピンドルモータ１０５の回転速度が上昇して、パワーオンリセットがかかり易くなる。
【００２７】
ＰＣの電源供給能力が不充分であることにより、パワーオンリセットがかかる問題を解決するため、本実施例においては以下に説明するような判定機能をＯＤＤが有している。この判定機能をＯＤＤが独自に実施する場合と、ＯＤＤがＰＣからのコマンドを受けて実施する場合とが考えられるので、二つのケースに分けて説明する。
まず、ＯＤＤが、接続されたＰＣの電流供給能力を判定する機能を独自に実施する場合について述べる。まず、ＯＤＤは大きな消費電流を要する所定の動作を実行し、パワーオンリセットがかかるか否かを判定する。パワーオンリセットがかかったと判定された場合には、ＰＣの電流供給能力が低いと判断して、後記するように例えば倍速書込みや読取りの際の速度を制限して、実際の動作仕様をＯＤＤが有する最高仕様よりも低目に変更する。
【００２８】
前記した判定動作を、ＯＤＤに電源が供給された際に毎回行う場合には、接続するＰＣが変わった際にも確実に判定して動作仕様を決めることができる。
また、ＯＤＤに電源が供給された後、例えばスタンバイ状態のようにＯＤＤが動作しない状態に判定する場合には、毎回同じＯＤＤを使用する際に電源が供給されるたびに判定を繰返す煩わしさを解消することができる。
さらには、前記とは異なり、ＰＣの電源供給能力の判定を特別に行うことなく、ＯＤＤの動作中にパワーオンリセットがかかった場合に、その動作に関わる仕様を低目に変更し、例えば倍速書込みや読取りの際の速度を制限する方法もある。この場合は、実際の書込みや読取りの動作が行われる際に、一度パワーオンリセットがかかることがあるものの、その後は問題が解消される。
【００２９】
次に、ＯＤＤが独自に実施するという前記した場合とは異なり、ＰＣが、接続されたＯＤＤに対して、ＰＣの電流供給能力を判定して動作仕様を決めるように指示する場合について述べる。ＰＣはこの指示を行うためのプログラムを有する。ＯＤＤがＰＣに接続された際に、ユーザは前記プログラムを使用して、ＯＤＤに前記機能を実施するか否かを選択して指示する。ユーザがＯＤＤに前記機能を実施するように指示した場合には、ＰＣはＯＤＤに対して、この指示に対応したコマンドを送信する。該コマンドを受信したＯＤＤは、前記と同様にＰＣの電源供給能力を判定し、必要に応じて動作仕様を変更する。
【００３０】
ユーザがＯＤＤに前記機能を実施しないように指示した場合には、ＰＣはＯＤＤにこの指示に対応して、前記とは異なるコマンドを送信する。この場合、ＯＤＤはＰＣの電源供給能力の判定を特別に行うことなく、動作中にパワーオンリセットがかかった場合に、その動作に関わる仕様を低目に変更する。
【００３１】
ＯＤＤが、実際の動作仕様をＯＤＤが有する最高仕様よりも低目に変更するためには、次の方法がある。
最も効果的な方法の一つとして、スピンドルモータ１０５の回転速度を低減する方法、即ち、データの書込みや読取りをする際の最高の速度を、例えば８倍速から４倍速や２倍速に下げるように、スピンドルモータ１０５の駆動電流を制限する方法がある。この際、パワーオンリセットがかからない範囲で最高の速度とすることが望ましい。
【００３２】
さらにスレッドモータ１０３の駆動電流を、スピンドルモータ１０５に応じて制限することが望ましい。
また、スピンドルモータ１０３の起動時や速度変更時にその電流を制限することにも効果があり、トラッキングアクチュエータ駆動電流やフォーカスアクチュエータ駆動電流を制限することにも効果がある。
【００３３】
次に、ＯＤＤが、大きな消費電流を要する所定の動作を実行してパワーオンリセットがかかるか否かを判定し、さらにＯＤＤの動作モードを設定する方法について、詳しく説明する。
図２は、一実施例における光ディスク装置（ＯＤＤ）１の動作モード設定方法のフロー図である。
【００３４】
ＯＤＤ１がＰＣ２に接続され、ＯＤＤ１に電源が供給されることでフローが開始される。
ステップＳ２０１でＯＤＤ１の制御部１１１は、この電源供給はＯＤＤ１がＰＣ２に接続された後の初回の電源供給であるか否かを判定する。
【００３５】
ステップＳ２０１での判定の結果、初回の電源供給であると判定された場合には（図中のＹｅｓ）、ステップＳ２０２に到り、制御部１１１はＯＤＤが電源供給されていることを示すフラグを作成して不揮発メモリに記憶する。該不揮発メモリは制御部１１１或いはＤＳＰ１０９が内蔵するメモリであっても良く、またこれらに外付けされたメモリであっても良い。
【００３６】
次にステップＳ２０３では、大きな消費電流を必要とする動作を実行する。制御部１１１は、例えばスピンドルモータ１０５に指示して最高速度で回転させる。或いはスレッドモータ１０３に指示して最高速度で回転させる。この動作を所定の時間、例えば２秒間継続する。
次にステップＳ２０４では、制御部１１１は、前記した動作が所定の時間継続された間に問題が有ったか否かを、パワーオンリセットの有無に基づいて判定する。
【００３７】
ステップＳ２０４での判定の結果、前記した動作が継続された間に問題は無かったと判定された場合には（図中のＮｏ）、ステップＳ２０５に到り、前記不揮発メモリに記憶した電源供給フラグをクリアする。この場合は、例えばスピンドルモータ１０５やスレッドモータ１０３を速い速度で回転させても問題ないため、ＯＤＤ１を最高仕様のまま動作させる通常動作に設定してフローを終了する。
【００３８】
ステップＳ２０４での判定の結果、前記した動作が継続された間に問題が有ったと判定された場合には（図中のＹｅｓ）、ステップＳ２０１に戻る。ステップＳ２０１では再度、ＯＤＤ１がＰＣ２に接続された後の初回の電源供給であるか否かを判定するが、ここでは初回ではないため判定は図中のＮｏとなる。この場合は、少なくも最高仕様のままでＯＤＤ１を動作させることはエラーを起こす原因となるため、動作仕様を適宜低目に変更した動作に設定してフローを終了する。動作使用を適宜低目に変更した動作とは、例えばスピンドルモータ１０５の回転速度を最高速度よりも低い所定の速度に低減した動作であって良い。
【００３９】
以上示した実施例によれば、ＰＣが通常の使用状態とは異なるテストモードを有する必要はない。また、ＰＣの電源供給能力が不充分な場合にも、ＯＤＤはＵＳＢポートから供給された電源で所定の動作仕様で動作することができる。さらには、ＵＳＢポートから供給された電源に電源供給能力が充分に有る場合には、ＯＤＤは最大の動作性能で動作することができる。
【００４０】
また、先の図２において、ステップＳ２０４での判定がＹｅｓである場合に、ステップＳ２０３に戻るようにし、ステップＳ２０３で前回とは異なり、最高速度よりも低い所定の速度で例えばスピンドルモータ１０５を回転させる動作を実行し、ステップＳ２０４での判定がＮｏとなるうちの最高速度を求めてＯＤＤ１の動作を設定しても良い。これにより、ＰＣの電源供給能力をさらに生かした状態でＯＤＤ１の動作仕様を設定することができる。
ここまで示した実施形態は一例であって、本発明を限定するものではない。本発明の趣旨に基づきながら異なる実施形態を考えられるが、いずれも本発明の範疇にある。
【符号の説明】
【００４１】
１：光ディスク装置、２：ホストコンピュータ、１０１：光ディスク、１０２：光ピックアップ、１０３：スレッドモータ、１０５：スピンドルモータ、１１１：制御部、１１９：トラッキングアクチュエータ、１２０：フォーカスアクチュエータ。
【図１】
2012128894.tif 000003
【図２】
2012128894.tif 000004